【手続補正書】
【提出日】平成20年2月6日(2008.2.6)
【手続補正１】
【補正対象書類名】特許請求の範囲
【補正対象項目名】全文
【補正方法】変更
【補正の内容】
【特許請求の範囲】
【請求項１】
所定の伝送レートを有する伝送路を介して外部機器に動画像を伝送する動画像伝送装置であって、
動画像を構成する１フレームの画像データを、前記１フレームの大きさより小さいブロックを単位として出力するブロック化部と、
圧縮特性を示す複数のパラメータを含む圧縮テーブルに基づいて、前記画像データをブロック単位で圧縮し、ブロック圧縮データとして出力する圧縮部と、
前記ブロック圧縮データのデータサイズと、前記伝送レートとに基づいて前記圧縮テーブルを生成し、前記圧縮テーブルをブロック単位で前記圧縮部に設定する圧縮テーブル設定部と、
前記ブロック圧縮データをブロック単位で前記伝送路に出力する通信部と、
を備えたことを特徴とする動画像伝送装置。
【請求項２】
前記圧縮テーブル設定部は、
先行する複数のブロックの前記ブロック圧縮データのデータサイズの積算値を算出する積算部と、
現ブロックの画像データの圧縮後のデータサイズの予測値と前記積算値との和と、前記伝送レートに基づいた目標値とを比較した結果に基づいて、前記現ブロックの前記圧縮テーブルを算出して前記圧縮部へ出力する圧縮テーブル算出部と、
を備えたことを特徴とする請求項１に記載の動画像伝送装置。
【請求項３】
前記圧縮テーブル算出部は、
前記現ブロックに対応した前フレームのブロックに使用された前記圧縮テーブルに係る圧縮テーブル情報と、前記現ブロックに対応した前フレームのブロックの前記ブロック圧縮データのデータサイズとを蓄積すると共に、蓄積した前記圧縮テーブル情報および前記データサイズを、それぞれ前フレームブロックテーブル情報および前フレームブロックサイズとして出力する前フレームブロック蓄積部と、
前記前フレームブロックテーブル情報、前記前フレームブロックサイズ、および前記現ブロックの仮の前記圧縮テーブルに係る仮圧縮テーブル情報に基づいて、前記データサイズの予測値を生成するデータサイズ予測部と、
前記積算値と前記データサイズの予測値との和と前記目標値とを比較した結果に基づいて、前記現ブロックの前記圧縮テーブルを算出して前記圧縮部へ出力すると共に、前記仮圧縮テーブル情報を生成する圧縮テーブル生成部と、
を備えたことを特徴とする請求項２に記載の動画像伝送装置。
【請求項４】
前記圧縮テーブル算出部は、
前記現ブロックに対応した前フレームのブロックから所定のブロックまでの前記ブロック圧縮データのデータサイズの合計値または平均値を算出し、算出結果を実績値として出力する実績値算出部と、
前記伝送レートに基づいた所定値と前記実績値とを比較し、比較結果に基づいた前記目標値を前記圧縮テーブル生成部へ出力する実績値比較部と、
をさらに備えたことを特徴とする請求項３に記載の動画像伝送装置。
【請求項５】
所定の伝送レートを有する伝送路を介して動画像伝送装置と動画像受信装置との間で動画像を伝送する動画像伝送システムであって、
前記動画像装置は、
動画像を構成する１フレームの画像データを、前記１フレームの大きさより小さいブロックを単位として出力するブロック化部と、
圧縮特性を示す複数のパラメータを含む圧縮テーブルに基づいて、前記画像データをブロック単位で圧縮し、ブロック圧縮データとして出力する圧縮部と、
前記ブロック圧縮データのデータサイズと、前記ブロック圧縮データが伝送される伝送路の伝送レートとに基づいて、圧縮特性が異なる複数の前記圧縮テーブルの中から、圧縮に用いる前記圧縮テーブルを選択し、ブロック単位で前記圧縮部に設定する圧縮テーブル設定部と、
前記圧縮テーブル設定部によって選択され、前記圧縮部によって圧縮に用いられた前記圧縮テーブルの識別情報と前記ブロック圧縮データとをブロック単位で前記伝送路に出力する第１の通信部と、
を有し、
前記動画像受信装置は、
前記識別情報および前記ブロック圧縮データを受信する第２の通信部と、
伸張特性を示す複数のパラメータを含む伸張テーブルに基づいて、前記ブロック圧縮データをブロック単位で伸張する伸張部と、
前記識別情報によって示される、圧縮に用いられた前記圧縮テーブルの圧縮特性に対応した伸張特性を示す伸張テーブルをブロック単位で前記伸張部に設定する伸張テーブル設定部と、
を有する
ことを特徴とする動画像伝送システム。
【請求項６】
前記圧縮テーブル設定部は、
先行する複数のブロックの前記ブロック圧縮データのデータサイズの積算値を算出する積算部と、
前記伝送レートに基づいた所定値と前記積算値とを比較し、比較結果に基づいて、複数の前記圧縮テーブルの中から、現ブロックの圧縮に用いる前記圧縮テーブルを選択する圧縮テーブル選択部と、
複数の前記圧縮テーブルを予め記憶し、前記圧縮テーブル選択部によって選択された前記圧縮テーブルを前記圧縮部へ出力する圧縮テーブル記憶部と、
を備えたことを特徴とする請求項５に記載の動画像伝送システム。
【請求項７】
前記圧縮テーブル設定部は、複数の所定値と前記積算値とを比較し、前記積算値が属する範囲を示す範囲情報を出力する積算値範囲比較部をさらに備え、
前記圧縮テーブル選択部は、前記範囲情報に基づいて前記圧縮テーブルを選択する
ことを特徴とする請求項６に記載の動画像伝送システム。
【請求項８】
前記圧縮テーブル選択部は、前記伝送レートに基づいた所定値と前記積算値とを比較した結果に基づいて、複数の前記圧縮テーブルの中から、前ブロックの圧縮に用いた前記圧縮テーブルに近い圧縮特性の前記圧縮テーブルを、前記現ブロックの圧縮に用いる前記圧縮テーブルとして選択することを特徴とする請求項６または請求項７に記載の動画像伝送システム。
【請求項９】
前記圧縮テーブル記憶部は、前記識別情報としての、圧縮特性の順に従ったテーブル番号に対応づけて、複数の前記圧縮テーブルの各々を記憶し、
前記圧縮テーブル設定部は、先行するブロックの圧縮に用いた前記圧縮テーブルの前記テーブル番号を蓄積し、先行ブロックテーブル番号として出力する先行ブロックテーブル番号蓄積部をさらに備え、
前記圧縮テーブル選択部は、前記伝送レートに基づいた所定値と前記積算値とを比較した結果に基づいて、前記先行ブロックテーブル番号から所定の範囲内の前記テーブル番号に関連付けられた前記圧縮テーブルを、前記現ブロックの圧縮に用いる前記圧縮テーブルとして選択する
ことを特徴とする請求項８に記載の動画像伝送システム。
【手続補正２】
【補正対象書類名】明細書
【補正対象項目名】０００５
【補正方法】変更
【補正の内容】
【０００５】
本発明は、上記の課題を解決するためになされたもので、請求項１に記載の発明は、所定の伝送レートを有する伝送路を介して外部機器に動画像を伝送する動画像伝送装置であって、動画像を構成する１フレームの画像データを、前記１フレームの大きさより小さいブロックを単位として出力するブロック化部と、圧縮特性を示す複数のパラメータを含む圧縮テーブルに基づいて、前記画像データをブロック単位で圧縮し、ブロック圧縮データとして出力する圧縮部と、前記ブロック圧縮データのデータサイズと、前記伝送レートとに基づいて前記圧縮テーブルを生成し、前記圧縮テーブルをブロック単位で前記圧縮部に設定する圧縮テーブル設定部と、前記ブロック圧縮データをブロック単位で前記伝送路に出力する通信部とを備えたことを特徴とする動画像伝送装置である。
【手続補正３】
【補正対象書類名】明細書
【補正対象項目名】０００６
【補正方法】変更
【補正の内容】
【０００６】
請求項２に記載の発明は、請求項１に記載の動画像伝送装置において、前記圧縮テーブル設定部は、先行する複数のブロックの前記ブロック圧縮データのデータサイズの積算値を算出する積算部と、現ブロックの画像データの圧縮後のデータサイズの予測値と前記積算値との和と、前記伝送レートに基づいた目標値とを比較した結果に基づいて、前記現ブロックの前記圧縮テーブルを算出して前記圧縮部へ出力する圧縮テーブル算出部とを備えたことを特徴とする。
【手続補正４】
【補正対象書類名】明細書
【補正対象項目名】０００７
【補正方法】変更
【補正の内容】
【０００７】
請求項３に記載の発明は、請求項２に記載の動画像伝送装置において、前記圧縮テーブル算出部は、前記現ブロックに対応した前フレームのブロックに使用された前記圧縮テーブルに係る圧縮テーブル情報と、前記現ブロックに対応した前フレームのブロックの前記ブロック圧縮データのデータサイズとを蓄積すると共に、蓄積した前記圧縮テーブル情報および前記データサイズを、それぞれ前フレームブロックテーブル情報および前フレームブロックサイズとして出力する前フレームブロック蓄積部と、前記前フレームブロックテーブル情報、前記前フレームブロックサイズ、および前記現ブロックの仮の前記圧縮テーブルに係る仮圧縮テーブル情報に基づいて、前記データサイズの予測値を生成するデータサイズ予測部と、前記積算値と前記データサイズの予測値との和と前記目標値とを比較した結果に基づいて、前記現ブロックの前記圧縮テーブルを算出して前記圧縮部へ出力すると共に、前記仮圧縮テーブル情報を生成する圧縮テーブル生成部とを備えたことを特徴とする。
【手続補正５】
【補正対象書類名】明細書
【補正対象項目名】０００８
【補正方法】変更
【補正の内容】
【０００８】
請求項４に記載の発明は、請求項３に記載の動画像伝送装置において、前記圧縮テーブル算出部は、前記現ブロックに対応した前フレームのブロックから所定のブロックまでの前記ブロック圧縮データのデータサイズの合計値または平均値を算出し、算出結果を実績値として出力する実績値算出部と、前記伝送レートに基づいた所定値と前記実績値とを比較し、比較結果に基づいた前記目標値を前記圧縮テーブル生成部へ出力する実績値比較部とをさらに備えたことを特徴とする。
【手続補正６】
【補正対象書類名】明細書
【補正対象項目名】０００９
【補正方法】変更
【補正の内容】
【０００９】
請求項５に記載の発明は、所定の伝送レートを有する伝送路を介して動画像伝送装置と動画像受信装置との間で動画像を伝送する動画像伝送システムであって、前記動画像装置は、動画像を構成する１フレームの画像データを、前記１フレームの大きさより小さいブロックを単位として出力するブロック化部と、圧縮特性を示す複数のパラメータを含む圧縮テーブルに基づいて、前記画像データをブロック単位で圧縮し、ブロック圧縮データとして出力する圧縮部と、前記ブロック圧縮データのデータサイズと、前記ブロック圧縮データが伝送される伝送路の伝送レートとに基づいて、圧縮特性が異なる複数の前記圧縮テーブルの中から、圧縮に用いる前記圧縮テーブルを選択し、ブロック単位で前記圧縮部に設定する圧縮テーブル設定部と、前記圧縮テーブル設定部によって選択され、前記圧縮部によって圧縮に用いられた前記圧縮テーブルの識別情報と前記ブロック圧縮データとをブロック単位で前記伝送路に出力する第１の通信部とを有し、前記動画像受信装置は、前記識別情報および前記ブロック圧縮データを受信する第２の通信部と、伸張特性を示す複数のパラメータを含む伸張テーブルに基づいて、前記ブロック圧縮データをブロック単位で伸張する伸張部と、前記識別情報によって示される、圧縮に用いられた前記圧縮テーブルの圧縮特性に対応した伸張特性を示す伸張テーブルをブロック単位で前記伸張部に設定する伸張テーブル設定部とを有することを特徴とする動画像伝送システムである。
【手続補正７】
【補正対象書類名】明細書
【補正対象項目名】００１０
【補正方法】変更
【補正の内容】
【００１０】
請求項６に記載の発明は、請求項５に記載の動画像伝送システムにおいて、前記圧縮テーブル設定部は、先行する複数のブロックの前記ブロック圧縮データのデータサイズの積算値を算出する積算部と、前記伝送レートに基づいた所定値と前記積算値とを比較し、比較結果に基づいて、複数の前記圧縮テーブルの中から、現ブロックの圧縮に用いる前記圧縮テーブルを選択する圧縮テーブル選択部と、複数の前記圧縮テーブルを予め記憶し、前記圧縮テーブル選択部によって選択された前記圧縮テーブルを前記圧縮部へ出力する圧縮テーブル記憶部とを備えたことを特徴とする。